(57)【特許請求の範囲】
【請求項１】
什器の取付面に、上下方向に間隔をあけて穿設された複数の係止孔と、オプション部材を支持するブラケットの後端から後方に突出して形成されるとともに突端側が下方に屈曲する鉤状に形成され、前記係止孔に挿入して係止させて前記ブラケットを片持ち状態で着脱可能に取り付けるための係止爪とを備えてなるオプション部材の取付構造であって、
前記ブラケットのオプション部材支持面上で前後方向にスライド移動可能に前記オプション部材が支持され、該オプション部材に一体に設けられ、前記オプション部材から前後方向に沿って後方に突出する突出片と、前記ブラケットに対し前記オプション部材を固定する固定手段とを有する抜け止め機構を備えるとともに、
前記ブラケットを前記取付面に取り付け、前記オプション部材を後方にスライド移動させて前記突出片を前記係止孔に挿入した状態で、前記突出片の上端部と該突出片を挿入した前記係止孔の上周縁部との間の上下方向の間隔が、前記係止爪の上端部と該係止爪を挿入した前記係止孔の上周縁部との間の上下方向の間隔よりも小さくなるように前記突出片が形成されていることを特徴とするオプション部材の取付構造。
【請求項２】
請求項１記載のオプション部材の取付構造において、
前記突出片が、前記係止爪を挿入した前記係止孔に挿入されるとともに、前記係止爪の上端部と該係止爪を挿入した前記係止孔の上周縁部との間に挿入されるように構成されていることを特徴とするオプション部材の取付構造。
【請求項３】
請求項１または請求項２に記載のオプション部材の取付構造において、
前記固定手段が、長手方向を前後方向に向けて前記ブラケットに貫通形成された長孔と、前記オプション部材に設けられたネジ孔と、前記ブラケットの長孔に挿通して前記オプション部材のネジ孔に螺着される取付ネジとを備え、
該固定手段が、前記取付ネジが前記長孔に沿って前後方向に移動することで、前記オプション部材を前記ブラケットのオプション部材支持面上で前後方向にスライド移動させるガイド手段を兼ねていることを特徴とするオプション部材の取付構造。
【請求項４】
キャスターを備えたベースと、前記ベースから上方に立設された支持基体と、前記支持基体に着脱可能に取り付けられるオプション部材とを備え、前記ベースのキャスターによって走行可能に構成されたカート装置であって、
請求項１から請求項３のいずれか一項に記載のオプション部材の取付構造を備えていることを特徴とするカート装置。
【発明の詳細な説明】
【技術分野】
【０００１】
本発明は、例えばオフィス等の執務空間で使用される什器に着脱可能に取り付けられる棚板、トレー、ボックスなどのオプション部材の取付構造及びこれを備えたカート装置に関する。
【背景技術】
【０００２】
オフィス等の執務空間で使用される什器には、例えば電子機器等の物品を載置するための棚板やトレー、ボックスなどのオプション部材を備え、このオプション部材が支柱に着脱可能に取り付けられてその高さ位置を変更できるように構成したものがある。また、オフィス、病院、公共施設等における執務空間内で移動しながら執務を行なう場合には、キャスターを備えるベースと、ベースに接続して立設された支柱（支持基体）と、支柱の上端部に取り付けられた天板と、支柱の中間部分に着脱可能に取り付けられた棚板などのオプション部材とを備え、走行可能に構成したカート装置（什器）が多用されている。
【０００３】
さらに、オプション部材の取付構造としては、支柱の取付面に上下方向に所定の間隔をあけて複数穿設された係止孔に、ブラケットの後端から後方に突出形成された係止爪を挿入して係止させて、支柱に片持ち状態で取り付けたブラケットにオプション部材を支持させるように構成したものがある。このオプション部材の取付構造においては、適宜選択した係止孔にブラケットの係止爪を係止させることで、その係止孔に応じた所望の高さ位置にオプション部材を着脱可能に取り付けることができる。
【０００４】
そして、このようなオプション部材の取付構造では、一般に、係止爪が突端側を下方に屈曲させて鉤状の引掛り部が形成され、物品を載置するなどしてオプション部材及びブラケットに上方から外力が作用した際に、係止孔に挿入した係止爪の突端側の引掛り部が引掛かり、且つブラケットの後端が支柱の取付面に当接することで、オプション部材を安定して支柱に支持させることができる。一方、上記のオプション部材の取付構造においては、係止爪が下方に屈曲する鉤状に形成されているため、オプション部材及びブラケットに下方から外力が作用すると、片持ち状態のブラケットの後端側の係止部分を中心にして上方に回動してしまい、オプション部材がガタついたり、係止爪の引掛り部の引掛かりが外れて係止爪が係止孔から引き抜け、オプション部材が脱落してしまうおそれがある。
【０００５】
これに対し、特許文献１には、上下方向の高さ寸法が大きな大孔部と大孔部の下端側から横方向に延びる高さ寸法が小さな小孔部とを備えて係止孔（引掛け穴）をＬ字形に形成し、係止爪を係止孔の大孔部に挿入するとともにブラケットを横方向にスライドさせて、係止孔の小孔部に係止爪を係止させるように構成したオプション部材の取付構造が開示されている。
【０００６】
このオプション部材の取付構造においては、高さ寸法が小さい小孔部に係止爪を係合させることで、オプション部材及びブラケットの回動が規制される。これにより、オプション部材に不測の外力が下方から作用した場合であっても、オプション部材がガタついたり、係止爪が係止孔から外れてオプション部材が脱落することを防止できる。
【０００７】
また、特許文献２には、係止爪に加え、回動操作することによって係止孔への掛合状態と掛合解除状態とを選択できるロック爪を備えて構成したオプション部材の取付構造が開示されている。
【０００８】
このオプション部材の取付構造においては、係止爪を係止孔に挿入して係止させてオプション部材を支柱に取り付けるとともに、ロック爪を手動で回動させて係止孔に挿入し、係止孔の周縁部に掛合させることで、オプション部材及びブラケットの回動が規制される。これにより、オプション部材に不測の外力が下方から作用した場合であっても、オプション部材がガタついたり、係止爪が係止孔から外れてオプション部材が脱落することを防止できる。
【先行技術文献】
【特許文献】
【０００９】
【特許文献１】特開平０５−２７７０１１号公報
【特許文献２】実開平０６−２０４号公報
【発明の概要】
【発明が解決しようとする課題】
【００１０】
しかしながら、上記の特許文献１、特許文献２に開示されたオプション部材の取付構造においては、係止爪を係止孔に挿入して係止させてオプション部材が所定位置に配設された後に、ブラケットを横方向に移動させたり、ロック爪を回動して係止孔に挿入するという別操作が必要になる。
【００１１】
このため、オプション部材の取付位置を変更する際等、使用者がオプション部材を一時的に取り外し、再度オプション部材を所望の位置に取り付ける際に、ブラケットを移動させたり、ロック爪を回動させるというオプション部材の抜け止め操作（抜け止め機構の操作）を忘れてしまい、オプション部材の脱落を招くおそれがあった。
【００１２】
本発明は、上記事情に鑑み、棚板、トレー、ボックスなどのオプション部材の抜け止め操作忘れを防止して、ガタつきや脱落が生じないように好適にオプション部材を取り付けることを可能にするオプション部材の取付構造及びこれを備えたカート装置を提供することを目的とする。
【課題を解決するための手段】
【００１３】
本発明のオプション部材の取付構造は、什器の取付面に、上下方向に間隔をあけて穿設された複数の係止孔と、オプション部材を支持するブラケットの後端から後方に突出して形成されるとともに突端側が下方に屈曲する鉤状に形成され、前記係止孔に挿入して係止させて前記ブラケットを片持ち状態で着脱可能に取り付けるための係止爪とを備えてなるオプション部材の取付構造であって、前記ブラケットのオプション部材支持面上で前後方向にスライド移動可能に前記オプション部材が支持され、該オプション部材に一体に設けられ、前記オプション部材から前後方向に沿って後方に突出する突出片と、前記ブラケットに対し前記オプション部材を固定する固定手段とを有する抜け止め機構を備えるとともに、前記ブラケットを前記取付面に取り付け、前記オプション部材を後方にスライド移動させて前記突出片を前記係止孔に挿入した状態で、前記突出片の上端部と該突出片を挿入した前記係止孔の上周縁部との間の上下方向の間隔が、前記係止爪の上端部と該係止爪を挿入した前記係止孔の上周縁部との間の上下方向の間隔よりも小さくなるように前記突出片が形成されていることを特徴とする。
【００１４】
この発明においては、ブラケットの係止爪を什器の取付面の係止孔に挿入する際に、スライド移動可能に支持されたオプション部材をブラケットの前方側に位置させ、ブラケットの係止爪を大きく露出させて見やすい状態にして係止孔に挿入する。また、係止爪を係止孔に挿入して係止させ、ブラケットを取り付けた状態で、物品を載置して使用する所定位置よりも前方側に配されているオプション部材を後方にスライドさせて所定位置に移動する。
【００１５】
このようにオプション部材をスライド移動するとともに、オプション部材に一体に設けられた抜け止め機構の突出片を係止孔に自動的に挿入することができる。また、固定手段によって所定位置にスライド移動したオプション部材をブラケットに固定することができ、突出片が係止孔に挿入された状態で保持することができる。また、固定手段による固定を解除し、オプション部材を前方にスライド移動させることにより、突出片を自動的に係止孔から引き抜き、ブラケットの係止爪及び取付面の係止孔を見やすくし、容易に係止爪を係止孔から外してオプション部材及びブラケットを取り外すことができる。
【００１６】
そして、上記のようにオプション部材を後方にスライド移動させて突出片を係止孔に挿入し、什器に取り付けた状態で、突出片の上端部とこの突出片を挿入した係止孔の上周縁部との間の上下方向の間隔が、係止爪の上端部とこの係止爪を挿入した係止孔の上周縁部との間の上下方向の間隔よりも小さくなるように突出片が形成されている。このため、不測の外力がオプション部材やブラケットの下方側から作用した場合に、突出片の上端部が係止孔の上周縁部に当たって、ブラケット及びオプション部材の回動を規制することができる。これにより、オプション部材がガタついたり、係止爪が係止孔から外れて引き抜けてオプション部材が脱落することを防止できる。
【００１７】
また、本発明のオプション部材の取付構造においては、前記突出片が、前記係止爪を挿入した前記係止孔に挿入されるとともに、前記係止爪の上端部と該係止爪を挿入した前記係止孔の上周縁部との間に挿入されるように構成されていることが望ましい。
【００１８】
この発明においては、オプション部材を後方にスライド移動するとともに、突出片が自動的に係止爪の上端部とこの係止爪を挿入した係止孔の上周縁部との間に挿入される。そして、係止爪の上方に突出片があるため、外力が下方側からオプション部材に作用した場合に、係止爪の上端部が突出片の下端部に当たり、さらに突出片の上端部が係止孔の上周縁部に当たって、確実にブラケット及びオプション部材の回動を規制することができる。よって、オプション部材がガタついたり、係止爪が係止孔から外れて引き抜けてオプション部材が脱落することを確実に防止できる。
【００１９】
また、このように突出片を係止爪の上端部と係止孔の上周縁部との間に挿入するように構成することにより、オプション部材の取付構造、ひいてはオプション部材とブラケットからなるオプション部材構造の上下寸法を小さくしてコンパクトに収めることも可能になる。
【００２０】
さらに、本発明のオプション部材の取付構造においては、前記固定手段が、長手方向を前後方向に向けて前記ブラケットに貫通形成された長孔と、前記オプション部材に設けられたネジ孔と、前記ブラケットの長孔に挿通して前記オプション部材のネジ孔に螺着される取付ネジとを備え、該固定手段が、前記取付ネジが前記長孔に沿って前後方向に移動することで、前記オプション部材を前記ブラケットのオプション部材支持面上で前後方向にスライド移動させるガイド手段を兼ねていることがより望ましい。
【００２１】
この発明においては、取付ネジをネジ孔に螺入して締め付けることによってブラケットに対しオプション部材を固定することができ、取付ネジをゆるめることによってオプション部材を前後方向にスライド移動可能な状態にすることができる。そして、オプション部材を前後方向にスライド移動する際に、長手方向を前後方向に向けて形成された長孔の内部で取付ネジが移動するため、これら長孔と取付ネジによって、オプション部材を確実に前後方向に沿って移動させることができ、固定手段とガイド手段として兼用することが可能になる。これにより、簡易的な構造でオプション部材の抜け止め機構を好適に構成することができる。
【００２２】
本発明のカート装置は、キャスターを備えたベースと、前記ベースから上方に立設された支持基体と、前記支持基体に着脱可能に取り付けられるオプション部材とを備え、前記ベースのキャスターによって走行可能に構成されたカート装置であって、上記のいずれかのオプション部材の取付構造を備えていることを特徴とする。
【００２３】
この発明においては、上記のオプション部材の取付構造による作用効果を得ることができる。
【発明の効果】
【００２４】
本発明のオプション部材の取付構造及びこれを備えたカート装置によれば、係止爪を係止孔に挿入して係止させ、ブラケットを取り付けた後、前方にずれているオプション部材を後方にスライドさせて所定位置に移動する操作を行なうことによって、抜け止め機構の突出片を係止孔に自動的に挿入することができる。よって、オプション部材の抜け止め操作忘れを確実に防止でき、ガタつきや脱落が生じないように好適にオプション部材を取り付けることが可能になる。
【図面の簡単な説明】
【００２５】
【図１】本発明の一実施形態に係るカート装置（什器）を示す斜視図である。
【図２】図１のＸ１−Ｘ１線矢視図であり、図２（ａ）が支持基体の断面図、図２（ｂ）が支持基体の正面図を示す。
【図３】本発明の一実施形態に係るオプション部材の取付構造を示す図である。
【図４】図３のＸ２−Ｘ２線矢視図であり、オプション部材及びブラケットを示す側面図である。
【図５】図４のＸ３−Ｘ３線矢視図であり、オプション部材及びブラケットの下方からの平面図である。
【図６】本発明の一実施形態に係るオプション部材の取付構造の抜け止め部材（抜け止め機構）を示す斜視図である。
【図７】本発明の一実施形態に係るオプション部材の取付構造でオプション部材を取り付ける方法を示す図であり、係止爪を係止孔に挿入して係止させた状態を示す図である。
【図８】本発明の一実施形態に係るオプション部材の取付構造でオプション部材を取り付ける方法を示す図であり、オプション部材をスライドさせて突出片を係止孔に挿入した状態を示す図である。
【図９】本発明の一実施形態に係るオプション部材の取付構造の変形例を示す図である。
【図１０】本発明の一実施形態に係るオプション部材の取付構造の変形例を示す図である。
【発明を実施するための形態】
【００２６】
以下、図１から図８を参照し、本発明の一実施形態に係るオプション部材の取付構造及びこれを備えたカート装置について説明する。ここで、本実施形態では、オプション部材が棚板であるものとして説明を行うが、本発明にかかるオプション部材は、トレーやボックスなどであってもよく、必ずしも棚板に限定しなくてもよい。
【００２７】
本実施形態のカート装置Ａは、図１に示すように、最下部を構成するベース１と、このベース１から上方に延びて立設される支持基体（支柱）２と、支持基体２の前後方向Ｔ１を向く取付面（棚板取付面）３に着脱可能に取り付けて設けられた複数の棚板（オプション部材）４と、支持基体２の上端部に取り付けて設けられた天板５と、天板５の後端部５ａ側に接続し、後方に突設された操作ハンドル６と、天板５の後端部５ａ側に接続し、後方に向かうに従い下方に傾斜して設けられた操作レバー７とを備えて構成されている。さらに、本実施形態のカート装置Ａには、タブレットＰＣなどを備えた電子機器ユニット８が天板５の後端部５ａ側に着脱可能に接続して設けられている。
【００２８】
ここで、本実施形態において、図１の矢印Ｔ１で示す方向が「前後方向」であり、この「前後方向」に直交する図１の矢印Ｔ２で示す方向が「左右方向」とする。
【００２９】
ベース１は、図１に示すように、中央部から４方向に放射状に延設され、中央部で基端部を互いに連結した４本の脚杆１０と、これら脚杆１０の先端部にそれぞれ取り付けられた４個のキャスター１１とを備えて構成されている。また、各キャスター１１は、脚杆１０によって水平軸周りに回転可能に支持されるとともに、鉛直軸周りにも旋回可能に支持されている。これにより、ベース１を最下部に備えたカート装置Ａは、床面の上を任意の方向に走行可能とされている。
【００３０】
支持基体２は、図１及び図２に示すように、略円筒状に形成され、下端部をベースの中央部に接続して立設された外側支柱１２（固定側支柱）と、この外側支柱１２の上端側から内部空洞に下端部側を嵌合し、外側支柱１２の内部空洞から上下方向Ｔ３に進退自在に配設された内側支柱１３（移動側支柱）とを備えて構成されている。また、外側支柱１２は、図２に示すように、アルミ等が一体成形されてなる断面略楕円形状で筒状のアウター１４と、このアウター１４に取り付けられる４つの被取付金具１５とを備えている。
【００３１】
そして、本実施形態の外側支柱１２のアウター１４は、楕円形の長辺方向に沿う幅方向両側にそれぞれ、且つ楕円形の短辺方向の前方側と後方側にそれぞれ、内側に凹み、上下方向Ｔ３に延びる装着溝１６が形成されている。すなわち、このアウターには前方側と後方側に２つずつ、計４つの装着溝１６が形成されている。
【００３２】
被取付金具１５は、金属からなる断面略Ｕ字状の棒状部材であり、その長手方向である上下方向Ｔ３に所定の間隔をあけて、略矩形状の係止孔１７が複数貫通形成されている。そして、この被取付金具１５は、図２に示すように、アウター１４の４つの装着溝１６にそれぞれ嵌合し、係止孔１７を前後方向Ｔ１前方側に向けた状態で取り付けられている。
【００３３】
操作ハンドル６は、図１に示すように、執務者が操作バー６ａを把持して操作することにより、カート装置Ａを所定の方向へ走行させるためのものであり、天板５の下面の後端部５ａ側から後方に突出する一対の取付バー６ｂと、一対の取付バー６ｂの先端部同士を互いに接続して左右方向Ｔ２に延びる操作バー６ａとを備えて形成されている。
【００３４】
操作レバー７は、外側支柱１２の内部にスライド可能に設けられた内側支柱１３を任意の位置でスライド不能にロックするためのものである。すなわち、執務者が、この操作レバー７を操作すると、支持基体２の内部に設けられたロック機構による内側支柱１３のロックまたはロック解除が切り替わり、内側支柱１３のスライド移動が制御されて、支持基体２の高さの調節が行なえる。
【００３５】
次に、本実施形態の棚板（オプション部材）４は、図１、図３から図５に示すように、略平板状に形成され、その上面４ａが執務に用いる各種の物品を載置する物品載置面とされている。そして、この棚板４は、取付金具であるブラケット２０の棚板支持面（オプション部材支持面）２１上に載置して支持され、棚板の取付構造（オプション部材の取付構造）Ｂによって支持基体２の取付面３に取り付けられている。
【００３６】
本実施形態の棚板の取付構造Ｂは、支持基体２の取付面３に、上下方向Ｔ３に間隔をあけて穿設された複数の係止孔１７と、棚板４を支持するブラケット２０に設けられ、係止孔１７に挿入して係止させてブラケット２０を片持ち状態で着脱可能に取り付けるための係止爪２２と、係止孔１７に係止した係止爪２２が係止孔１７から外れて抜け出すことを防止するための抜け止め機構２３とを備えて構成されている。
【００３７】
まず、本実施形態のブラケット２０は、略矩形平板状の棚板支持板部（オプション部材支持板部）２４と、棚板支持板部２４の幅方向である左右方向Ｔ２中央を境にした左右等間隔の下面位置に接続して一体形成された一対のブラケット部２５、２６とを備えている。このとき、一対のブラケット部２５、２６は、左右方向Ｔ２の間隔ｄ１を、支持基体２の取付面３の幅方向両側に形成され、幅方向に隣り合う係止孔１７同士の間隔ｄ２と同等にして配設されている。
【００３８】
また、棚板支持板部２４には、図３及び図５に示すように、棚板支持板部２４の奥行き方向である前後方向Ｔ１に長手方向を向けて下面から上面に貫通形成された長孔２７が設けられている。本実施形態ではこの長孔２７が３つ設けられており、２つの長孔２７は、棚板支持板部２４の後方側の左右方向Ｔ２両側にそれぞれ配設され、１つの長孔２７は、棚板支持板部２４の前方側の左右方向Ｔ２中央に配設されている。さらに、本実施形態の棚板支持板部２４には、図５に示すように、前後方向Ｔ１に所定の間隔をあけ、下面から上面に貫通形成された２つの位置決め孔２８、２９が設けられ、前方側の位置決め孔２８が取付操作時位置決め孔とされ、後方側の位置決め孔２９が抜け止め操作時位置決め孔とされている。
【００３９】
そして、本実施形態では、図１、図３から図５に示すように、棚板支持板部２４の上面が棚板支持面２１とされ、この棚板支持面２１上に載置して棚板４が設けられている。また、このとき、棚板４の下面４ｂには、棚板支持板部の３つの長孔２７と対応する位置にネジ孔３０が形成されており、ユリアネジなどの取付ネジ３１を棚板支持板部２４の下面側から長孔２７に挿通し、さらに棚板４のネジ孔３０に螺合することによって、棚板４が棚板支持板部２４ひいてはブラケット２０に取り付けられている。
【００４０】
また、棚板支持面２１上の棚板４は、取付ネジ３１をゆるめることにより、取付ネジ３１が長孔２７に案内されて、前後方向Ｔ１にスライド移動可能に設けられている。さらに、取付ネジ３１を締め付けることによって、棚板４はブラケット２０の棚板支持板部２４に固定することができる。すなわち、本実施形態では、上記の棚板支持板部２４の長孔２７と取付ネジ３１と棚板４のネジ孔３０によって本発明にかかる固定手段が構成されている。
【００４１】
また、図５に示すように、棚板４の下面４ｂには、所定位置に下面４ｂから下方に突出する位置決め突起３３が形成されており、棚板４をスライド移動させて前方側の所定位置に配置すると、この位置決め突起３３が棚板支持板部２４の取付操作時位置決め孔２８に係合し、棚板４をスライド移動させて後方側の所定位置に配置すると、位置決め突起３３が棚板支持板部２４の抜け止め操作時位置決め孔２９に係合する。これにより、本実施形態の棚板の取付構造Ｂは、ブラケット２０の棚板支持面２１上でスライド移動する棚板４が、前後の所定位置で位置決め保持されるように構成されている。
【００４２】
さらに、本実施形態の棚板の取付構造Ｂでは、図４に示すように、棚板４の下面４ｂ側にガイド突起部４ｃが設けられている。このガイド突起部４ｃは、棚板支持板部２４の幅方向両側端部側にそれぞれ設けられ、下方に突出し、棚板支持板部２４の各側端部に沿う前後方向Ｔ１に延びて形成されている。そして、棚板４がスライド移動する際に、これらガイド突起部４ｃによって棚板支持板部２４ひいてはブラケット２０が左右方向Ｔ２にずれることなく、より確実に前後方向Ｔ１にスライド移動するように案内される。また、図５に示すように、棚板４の下面４ｂ側に前後方向Ｔ１に延びるガイド溝３５を設け、このガイド溝３５に案内させて棚板４をスライド移動させるようにしてもよい。
【００４３】
次に、図３から図５に示すように、一対のブラケット部２５、２６はそれぞれ、同形同大の平板状に形成され、上端部を棚板支持板部２４の下面に接続し、板面を左右方向Ｔ２に向けて前後方向Ｔ１に沿って配設されるとともに、棚板支持板部２４の棚板支持面２１上に配設された棚板４の後端部４ｄよりも後端２５ａ、２６ａ側を前後方向Ｔ１後方に突出させて配設されている。
【００４４】
また、各ブラケット部２５、２６（ブラケット２０の後端）には、後端２５ａ、２６ａから後方に突出し、突端側が下方に屈曲する鉤状に形成された係止爪２２が設けられている。さらに、各ブラケット部２５、２６には、支持基体２に設けられた複数の係止孔１７の上下方向Ｔ３の間隔に応じ、上下方向Ｔ３に所定の間隔をあけて複数の係止爪２２が設けられ、本実施形態では、各ブラケット部２５、２６に３つの係止爪２２が具備されている。
【００４５】
一方、本実施形態の抜け止め機構２３は、図３に示すように、ブラケット２０の棚板支持面２１上で前後方向Ｔ１にスライド移動可能に支持された棚板４に一体に設けられた抜け止め部材３６と前記固定手段を備えて構成されている。
【００４６】
本実施形態の抜け止め部材３６は、図６に示すように、方形平板状の固定板３７と、固定板３７の幅方向である左右方向Ｔ２両側端部側の下面にそれぞれ、上端部３８ａ、３９ａを接続し、固定板３７の奥行き方向である前後方向Ｔ１の後端部３７ａから後方に突設された一対の突出片３８、３９とを備えて形成されている。また、固定板３７には、下面から上面に貫通する挿通孔４０が形成されている。
【００４７】
さらに、一対の突出片３８、３９は、図３及び図６に示すように、左右方向Ｔ２の間隔ｄ３を、支持基体２の取付面３の幅方向両側に形成され、幅方向に隣り合う係止孔１７同士の間隔ｄ２と同等にして配設されている。さらに、一対の突出片３８、３９は、同形同大で形成され、各突出片３８、３９には、その突端側（突出方向先端側）に抜け止め挿入部４１が設けられている。この抜け止め挿入部４１は、突出片３８、３９の突端側が、前後方向Ｔ１の突端から基端側（突出方向後端側）に向かうに従い漸次上下方向Ｔ３の高さが大となるように形成され、基端側が前後方向Ｔ１に上下方向Ｔ３の高さを一定にして形成されている。
【００４８】
このように形成した抜け止め部材３６は、図３、図５及び図６に示すように、固定板３７の下面から挿入孔４０に固定ネジ４２を挿通し、この固定ネジ４２を棚板４の下面の後端部４ｄ側に形成されたネジ孔４３に螺合し、固定板３７を棚板４に固定することによって棚板４に一体に設けられている。このとき、抜け止め部材３６の幅方向中央の位置を棚板４の幅方向中央に合わせ、一対の突出片３８、３９が、棚板４から前後方向Ｔ１に沿って、その一対の突出片３８、３９の突端側の抜け止め挿入部４１を後方に突出させるようにして配設されている。また、この状態で、各突出片３８、３９は、ブラケット２０の各ブラケット部２５、２６と上下方向Ｔ３に重なって配設される。さらに、棚板４をブラケット２０の棚板支持面２１上で後方にスライド移動させ、棚板４の位置決め突起３３が棚板支持板部２４の抜け止め操作時位置決め孔２９に係合した状態で、各突出片３８、３９の突端（先端）と、各ブラケット部２５、２６の係止爪２２の突端（先端）とが前後方向Ｔ１の略同位置となるように、抜け止め部材３６が配設されている。
【００４９】
そして、上記構成からなる本実施形態の棚板の取付構造Ｂにおいて、カート装置Ａの支持基体２に棚板４を取り付ける場合には、まず、図７に示すように、取付ネジ３１をゆるめ、棚板４をブラケット２０に対してスライド移動させ、前方側に設けておく。このとき、棚板４をスライド移動させて前方側の所定位置に配置すると、図５に示した位置決め突起３３が棚板支持板部２４の取付操作時位置決め孔２８に係合するため、確実に棚板４が前方側の所定位置で位置決め保持されることになる。
【００５０】
このように棚板４を前方側の所定位置に配置すると、棚板４とともに抜け止め部材３６が前方側にスライドし、ブラケット２０の各ブラケット部２５、２６の後端２５ａ、２６ａに設けた係止爪２２が大きく露出し、棚板４の取り付けを行なっている執務者（作業者、操作者）にとって見やすい状態となる。
【００５１】
このため、執務者は、棚板４及びブラケット２０を手で持ちながら係止爪２２を支持基体２の係止孔１７に挿入する操作が容易に行なえ、係止爪２２を係止孔１７に挿入して係止することによって、棚板４及びブラケット２０が支持基体２に片持ち状態で取り付けられる。
【００５２】
そして、本実施形態では、図７に示すように、棚板４を支持基体２に取り付けた状態で、棚板４が前方側にあり、支持基体２に対する所定位置に配設されていない。このため、本実施形態の棚板の取付構造Ｂにおいては、図８に示すように、棚板４及びブラケット２０を支持基体２に取り付けた後、執務者が棚板４を後方にスライド移動させ、後方の所定位置に配設する。また、これとともに取付ネジ３１を締め付け、棚板４をブラケット２０に固定する。
【００５３】
また、このように棚板４を後方にスライド移動して後方側の所定位置に配設すると、まず、図５に示した棚板４の位置決め突起３３が棚板支持板部２４の抜け止め操作時位置決め孔２９に係合し、これにより、ブラケット２０の棚板支持面２１上でスライド移動する棚板４が、後方側の所定位置で確実に位置決め保持される。
【００５４】
さらに、本実施形態の棚板の取付構造Ｂでは、棚板４を後方にスライド移動して後方側の所定位置に配設するとともに、棚板４に一体に設けられた抜け止め機構２３の突出片３８、３９の抜け止め挿入部４１が係止孔１７に自動的に挿入される。また、本実施形態では、ブラケット部２５、２６の最上方の係止爪１７が挿入して係止されている係止孔１７に突出片３８、３９の抜け止め挿入部４１が挿入される。
【００５５】
そして、図８に示すように、このように係止孔１７に自動的に抜け止め機構２３の突出片３８、３９が挿入されると、突出片３８、３９の上端部３８ａ、３９ａとこの突出片３８、３９を挿入した係止孔１７の上周縁部１７ａとの間の上下方向Ｔ３の間隔ｄ４が、係止爪２２の上端部２２ａとこの係止爪２２を挿入した係止孔１７の上周縁部１７ａとの間の上下方向Ｔ３の間隔ｄ５よりも小さくなる。このため、不測の外力が棚板４（ブラケット２０）の下方側から作用した場合には、突出片３８、３９の上端部３８ａ、３９ａが係止孔１７の上周縁部１７ａに当たり、ブラケット２０及び棚板４の回動が規制されることになる。これにより、棚板４にガタつきが生じたり、係止爪２２が係止孔１７から外れて引き抜けることがなくなる。
【００５６】
また、本実施形態では、棚板４を後方にスライド移動するとともに、突出片３８、３９が自動的に係止爪２２の上端部２２ａとこの係止爪２２を挿入した係止孔１７の上周縁部１７ａとの間に挿入され、係止爪２２の上方に突出片３８、３９がある。このため、不測の外力が棚板４に作用した場合に、係止爪２２の上端部２２ａが突出片３８、３９の下端部に当たり、さらに突出片３８、３９の上端部３８ａ、３９ａが係止孔１７の上周縁部１７ａに当たって、確実にブラケット２０及び棚板４の回動が規制されることになる。
【００５７】
さらに、突出片３８、３９が係止孔１７に挿入された状態で、突出片３８、３９の上端部３８ａ、３９ａが係止孔１７の上周縁部１７ａに当接し、この間の間隔ｄ４をなくしておくと、ブラケット２０及び棚板４の回動をなくすこともできる。
【００５８】
したがって、本実施形態の棚板の取付構造（オプション部材の取付構造）Ｂ及びカート装置Ａにおいては、ブラケット２０の係止爪２２をカート装置Ａの取付面３の係止孔１７に挿入する際に、ブラケット２０にスライド移動可能に支持された棚板４を前方側に位置させ、ブラケット２０の係止爪２２を大きく露出させて見やすい状態で係止孔１７に挿入する。また、係止爪２２を係止孔１７に挿入して係止させ、ブラケット２０を取り付けた状態で、物品を載置して使用する所定位置よりも前方側に配された棚板４を後方にスライドさせて所定位置に移動する。
【００５９】
このように棚板４をスライド移動するとともに、この棚板４に一体に設けられた抜け止め機構２３の突出片３８、３９を係止孔１７に自動的に挿入することができる。また、固定手段によって所定位置にスライド移動した棚板４をブラケット２０に固定することができ、突出片３８、３９が係止孔１７に挿入された状態を保持することができる。さらに、固定手段による固定を解除し、棚板４を前方にスライド移動させることにより、突出片３８、３９を自動的に係止孔１７から引き抜き、ブラケット２０の係止爪２２及び取付面３の係止孔１７を見やすくし、係止爪２２を係止孔１７から外して容易に棚板４及びブラケット２０を取り外すことができる。
【００６０】
そして、上記のように棚板４を後方にスライド移動させて突出片３８、３９を係止孔１７に挿入し、カート装置Ａに取り付けた状態で、突出片３８、３９の上端部３８ａ、３９ａと係止孔１７の上周縁部１７ａとの間の上下方向Ｔ３の間隔ｄ４が、係止爪２２の上端部２２ａと係止孔１７の上周縁部１７ａとの間の上下方向Ｔ３の間隔ｄ５よりも小さくなるように突出片３８、３９が形成されている。このため、不測の外力が棚板４（ブラケット２０）の下方側から作用した場合に、突出片３８、３９の上端部３８ａ、３９ａが係止孔１７の上周縁部１７ａに当たって、ブラケット２０及び棚板４の回動を規制することができる。これにより、棚板４がガタついたり、係止爪２２が係止孔１７から外れて引き抜けて棚板４が脱落することを防止できる。
【００６１】
よって、本実施形態の棚板の取付構造Ｂ及びこれを備えたカート装置Ａによれば、係止爪２２を係止孔１７に挿入して係止させ、ブラケット２０を取り付けた後、前方にずれている棚板４を後方にスライドさせて所定位置に移動する操作を行なうことによって、抜け止め機構２３の突出片３８、３９を係止孔１７に自動的に挿入することができる。これにより、棚板４の抜け止め操作忘れを確実に防止でき、ガタつきや脱落が生じないように好適に棚板４を取り付けることが可能になる。
【００６２】
また、本実施形態の棚板の取付構造Ｂにおいては、棚板４を後方にスライド移動するとともに、突出片３８、３９が自動的に係止爪２２の上端部２２ａとこの係止爪２２を挿入した係止孔１７の上周縁部１７ａとの間に挿入される。そして、係止爪２２の上方に突出片３８、３９があるため、不測の外力が棚板４に作用した場合に、係止爪２２の上端部２２ａが突出片３８、３９の下端部に当たり、さらに突出片３８、３９の上端部３８ａ、３９ａが係止孔１７の上周縁部１７ａに当たって、確実にブラケット２０及び棚板４の回動を規制することができる。よって、棚板４がガタついたり、係止爪２２が係止孔１７から外れて引き抜けて棚板４が脱落することを確実に防止できる。
【００６３】
また、このように突出片３８、３９を係止爪２２の上端部２２ａと係止孔１７の上周縁部１７ａとの間に挿入するように構成することにより、棚板の取付構造Ｂ、ひいては棚板４とブラケット２０からなる棚板構造の上下寸法を小さくして、コンパクトに収めることも可能になる。
【００６４】
さらに、本実施形態の棚板の取付構造Ｂにおいては、取付ネジ３１をネジ孔３０に螺入して締め付けることによってブラケット２０に対し棚板４を固定することができ、取付ネジ３１をゆるめることによって棚板４を前後方向Ｔ１にスライド移動可能な状態にすることができる。そして、棚板４を前後方向Ｔ３にスライド移動する際に、長手方向を前後方向Ｔ３に向けて形成された長孔２７の内部で取付ネジ３１が移動するため、これら長孔２７と取付ネジ３１によって、棚板４を確実に前後方向Ｔ３に沿って移動させることができ、固定手段とガイド手段として兼用することが可能になる。これにより、簡易的な構造で棚板４の抜け止め機構２３を構成することができる。
【００６５】
以上、本発明に係るオプション部材の取付構造（棚板の取付構造）及びこれを備えたカート装置の一実施形態について説明したが、本発明は上記の一実施形態に限定されるものではなく、その趣旨を逸脱しない範囲で適宜変更可能である。
【００６６】
例えば、本実施形態では、抜け止め機構２３の突出片３８、３９が、係止爪２２が挿入して係止されている係止孔１７に挿入されるものとして説明を行った。これに対し、例えば図９に示すように、棚板（オプション部材）４をスライド移動するとともに、この棚板４に一体に設けられた突出片３８、３９が係止爪２２を挿入していない係止孔１７に挿入され、この突出片３８、３９の上端部３８ａ、３９ａが係止孔１７の上周縁部１７ａに当たることで棚板４及びブラケット２０の回動を規制するように構成してもよい。
【００６７】
また、このとき、係止孔１７に挿入する部分の突出片３８、３９の上下方向の高さ寸法を係止孔１７の上下方向の高さ寸法と同等にして形成すると、突出片３８、３９の上端部３８ａ、３９ａと係止孔１７の上周縁部１７ａの間の間隔ｄ４がなくなり、ブラケット２０及び棚板４の回動をなくすことができる。
【００６８】
さらに、例えば図１０に示すように、ブラケット２０のブラケット部２５、２６を棚板支持板部２４から後方に向かうに従い漸次上方に傾斜して形成し、ブラケット２０の係止爪２２と抜け止め機構２３の突出片３８、３９が挿入される係止孔１７が異なるように構成してもよい。
【００６９】
また、本実施形態では、カート装置Ａに具備される棚板、トレー、ボックスなどのオプション部材の取付構造Ｂについて説明を行ったが、本発明の什器をカート装置Ａに限定する必要はなく、本発明にかかるオプション部材の取付構造は、家具など、あらゆる什器に、棚板やトレー、ボックスなどのオプション部材を取り付けるための構造として適用可能である。
【符号の説明】
【００７０】
１      ベース
２      支持基体（支柱）
３      取付面（棚板取付面）
４      棚板（オプション部材）
４ａ    上面
４ｂ    下面
４ｃ    ガイド突起部
４ｄ    後端部
５      天板
５ａ    後端部
６      操作ハンドル
６ａ    操作バー
６ｂ    取付バー
７      操作レバー
８      電子機器ユニット
１０    脚杆
１１    キャスター
１２    外側支柱
１３    内側支柱
１４    アウター
１５    被取付金具
１６    装着溝
１７    係止孔
２０    ブラケット
２１    棚板支持面（オプション部材支持面）
２２    係止爪
２３    抜け止め機構
２４    棚板支持板部（オプション部材支持板部）
２５    ブラケット部
２５ａ  後端
２６    ブラケット部
２６ａ  後端
２７    長孔（固定手段）
２８    取付操作時位置決め孔
２９    抜け止め操作時位置決め孔
３０    ネジ孔（固定手段）
３１    取付ネジ（固定手段）
３３    位置決め突起
３５    ガイド溝
３６    抜け止め部材
３７    固定板
３８    突出片
３８ａ  上端部
３９    突出片
３９ａ  上端部
４０    挿通孔
４１    抜け止め挿入部
４２    固定ネジ
４３    ネジ孔
Ａ      カート装置（什器）
Ｂ      棚板の取付構造（オプション部材の取付構造）
Ｔ１    前後方向
Ｔ２    左右方向
Ｔ３    上下方向
【図１】
0005851203.tif 000002
【図２】
0005851203.tif 000003
【図３】
0005851203.tif 000004
【図４】
0005851203.tif 000005
【図５】
0005851203.tif 000006
【図６】
0005851203.tif 000007
【図７】
0005851203.tif 000008
【図８】
0005851203.tif 000009
【図９】
0005851203.tif 000010
【図１０】
0005851203.tif 000011